(57)【要約】      （修正有）【課題】Ｃアーム撮像システムにおけるトランケーションの問題を解決すること。【解決手段】Ｃアームの一方の端部に取り付けられたＸ線源と、Ｃアームの反対側端部に取り付けられたＸ線検出器を有するＸ線撮像システムにおいて、Ｘ線検出器が検出器取付台と可動ステージとを有しており、可動ステージが検出器台内を移動するようにする。【選択図】図４
2006326319.tif 000002
【特許請求の範囲】
【請求項１】
Ｃアームの一方の端部に取り付けられたＸ線源と、Ｃアームの反対側端部に取り付けられたＸ線検出器を有するＸ線撮像システムであって、
Ｘ線検出器は検出器取付台と可動ステージとを有しており、可動ステージは検出器台内を移動することを特徴とする、Ｘ線撮像システム。
【請求項２】
検出器取付台は一対のスライダを有しており、可動ステージはスライダに沿って並進する、請求項１記載のシステム。
【請求項３】
可動ステージはほぼ可動ステージの長さだけＸ線検出器内を移動する、請求項２記載のシステム。
【請求項４】
１つ又は複数の交差ころ軸受とクランプピンとを有する、請求項１記載のシステム。
【請求項５】
Ｘ線検出器は、Ｘ線源とＸ線検出器とにより決定された軸の周りを回転するようにＣアームに取り付けられている、請求項１記載のシステム。
【請求項６】
Ｃアームに結合することのできる検出器取付台と、検出器取付台に結合された可動ステージとを有する撮像システムのＸ線検出器であって、可動ステージが検出器取付台に沿って並進するができることを特徴とする、撮像システムのＸ線検出器。
【請求項７】
Ｘ線検出器は第１及び第２のスライダを有しており、第１及び第２のスライダは互いにほぼ平行であり、第１及び第２のスライダの少なくとも一方は交差ころ軸受を有している、請求項６記載のＸ線検出器。
【請求項８】
１つ又は複数のクランプピンを有する、請求項６記載のＸ線検出器。
【請求項９】
ＣアームＸ線撮像システムを使用した撮像方法であって、
Ｘ線検出器の可動ステージを第１の位置に位置決めするステップ、
第１の投影データ集合を取得するために第１の部分円形走査を行うステップ、
第１の位置から横方向にオフセットした第２の位置へＸ線検出器の可動ステージを再位置決めするステップ、及び
第２の投影データ集合を取得するために第２の部分円形走査を行うステップを有することを特徴とする、ＣアームＸ線撮像システムを使用した撮像方法。
【請求項１０】
第１及び第２の投影データ集合からコンポジット投影データを形成するステップと、
コンポジット投影データからボリュームを再構成するステップを有する、請求項９記載の方法。
【請求項１１】
Ｆｅｌｄｋａｍｐアルゴリズム又は他の幾つかの精密なもしくは近似的な３Ｄ再構成アルゴリズムを用いてボリュームを再構成する、請求項１０記載の方法。
【請求項１２】
第１の位置と第２の位置との間の差は可動ステージの長さまでとする、請求項９記載の方法。
【請求項１３】
Ｃアームジオメトリの校正中に取得した第１及び第２の投影データ集合から第１及び第２の投影行列集合を形成するステップを有する、請求項９記載の方法。
【請求項１４】
コンポジット像を再構成することができるように、第１及び第２の投影行列集合を用いてＣアームＸ線撮像システムを校正するステップを有する、請求項９記載の方法。
【請求項１５】
ＣアームＸ線撮像システムの校正方法であって、
Ｘ線検出器の可動ステージをセンタリングするステップ、
標準的なＣアームジオメトリ校正手続きを実行するステップ、
標準的なＣアームジオメトリ校正手続きの間に取得したデータから投影行列の集合を形成するステップ、
Ｘ線検出器の可動ステージを第１の位置へオフセットするステップ、
第１の変換オフセットパラメータ集合を形成するステップ、
Ｘ線検出器の可動ステージを第２の異なる位置へオフセットするステップ、及び
第２の変換オフセットパラメータ集合を形成するステップを有することを特徴とする、ＣアームＸ線撮像システムの校正方法。
【請求項１６】
関連するオフセット像のワーピングにより、センタリングされた投影行列の集合に関連したコンポジット像を形成するステップを有する、請求項１５記載の方法。
【請求項１７】
第１及び第２の変換オフセットパラメータ集合を用いて、センタリングされた投影行列の集合を調整することにより、ＣアームＸ線撮像システムを校正するステップを有する、請求項１６記載の方法。
【請求項１８】
第１の変換オフセットパラメータ集合に関連した第１の投影行列集合を形成するステップと、
第２の変換オフセットパラメータ集合に関連した第２の投影行列集合を形成するステップを有する、請求項１５記載の方法。
【請求項１９】
第１の位置と第２の位置との間の差は可動ステージの長さまでとする、請求項１５記載の方法。
【請求項２０】
コンピュータ上で実行可能な命令を格納したコンピュータ可読媒体において、
前記命令は実際のＸ線検出器よりも大きなサイズを有する仮想Ｘ線検出器を形成するステップを含んでおり、ただし、実際のＸ線検出器はＣアーム撮像システムに結合されており、仮想Ｘ線検出器はＣアーム撮像システムにより再構成されたボリュームにおける投影トランケーション誤差の低減を促す、ことを特徴とするコンピュータ可読媒体。
【請求項２１】
前記命令は、
Ｃアーム撮像システムによる第１の部分円形走査の実行に関連した第１のデータ集合を取得するステップと、
Ｃアーム撮像システムによる第２の部分円形走査の実行に関連した第２のデータ集合を取得するステップを有する、請求項２０記載のコンピュータ可読媒体。
【請求項２２】
仮想検出器を形成するステップは第１及び第２のデータ集合を統合するステップを含んでいる、請求項２１記載のコンピュータ可読媒体。
【請求項２３】
前記命令は、第１の部分円形走査の後かつ第２の部分円形走査の前に実際の検出器のコンポーネントを再位置決めするステップを含んでいる、請求項２２記載のコンピュータ可読媒体。
【請求項２４】
前記命令は、それぞれ第１及び第２の変換パラメータに関連した第１及び第２の投影行列を形成することによりＣアーム撮像システムを校正するステップを含んでいる、請求項２２記載のコンピュータ可読媒体。
【発明の詳細な説明】
【技術分野】
【０００１】
本発明は全体として医用撮像に使用されるＣアームＸ線撮像システムに関する。特に、本発明はＣアームＸ線撮像システムで生じうるトランケーションを被った投影の補正に関する。
【背景技術】
【０００２】
Ｃアーム撮像システムは、２次元Ｘ線投影とトモグラフィにより再構成された３次元像（ボリュームデータ集合）の両方を形成するために医学的用途で現在使用されている。他のコーンビーム撮像装置のような従来のＣアーム撮像システムは、所与の対象物の投影を完全に捕捉するには小さすぎるＸ線検出器を備えている場合がある。典型的なＸ線検出器は、検出器の境界を越えて広がる対象物の像を記録する際、トランケーションを被った投影を形成する場合がある。検出器視野（ＤＦＯＶ）が３Ｄ再構成のための関連する走査視野（ＳＦＯＶ）を決定するので、小さなＸ線検出器は正しく検査され正確に再構成された対象物の全体的サイズを制限してしまい兼ねない。
【０００３】
従来の数学的な外挿法はトランケーションを被った投影のインパクトを低減することができるかもしれない。しかしながら、最良の結果を得るには、一般的な外挿法はさらに、データ整合性条件、例えば対象物の全質量（０次モーメント）及び（１次モーメントに基づいた）質量中心を確立するために少なくとも幾つかの像において対象物を完全に捕捉する必要がある。したがって、Ｘ線検出器は対象物の完全な投影をカバーすることを要求される。検出器と撮像すべき対象物のサイズを所与とすれば、患者が動かされ、また全体像を得るために継ぎ合わせることができるように複数の投影が撮られない限り、これは実行不能であるということは珍しいことではない。あいにく、この手法はあまり実際的でない。というのも、この手法は例えば前後像や側面像のような選ばれた像にしか適用できないからである。
【０００４】
投影のトランケーションの問題に対処するために、数学的な外挿法の他に、Ｘ線システムに対する様々なハードウェア変更が提案されている。特許文献１は二位置データ取得スキームを開示している。これらの位置データ取得スキームでは、対象物は平行移動され、固定されたＸ線源-検出器コンフィギュレーションに対して回転させられる。特許文献２は線状及び円状の合成走査器アレイを開示している。走査器は不動であり、走査すべき対象物は、移動及び回転させることのできるターンテーブルの上に置かれる。しかしながら、提案されたこれらの解決手段の両方ともＣアームＸ線撮像システムに容易に適用することはできない。
【０００５】
非特許文献１は、横方向にオフセットされた検出器による完全円形走査の実行を開示している。この方法は有効検出器幅を増大させるものの、Ｃアーム撮像システムには適用できない。というのも、Ｃアームは部分円形走査のみに限定されている場合があるからである。
【特許文献１】アメリカ合衆国特許第５，０３２，９９０号
【特許文献２】アメリカ合衆国特許第５，７４０，２２４号
【特許文献３】アメリカ合衆国特許第６，８１１，３１３号
【非特許文献１】Cho et al.,"Cone-beam CT from width-truncated Projections", Computerized Medical Imaging and Graphics, vol. 20, no. 1, pp.49 - 57, 1996
【発明の開示】
【発明が解決しようとする課題】
【０００６】
本発明の課題は、従来の技術を改善して、Ｃアーム撮像システムにおけるトランケーションの問題を解決することである。
【課題を解決するための手段】
【０００７】
上記課題は、Ｃアームの一方の端部に取り付けられたＸ線源と、Ｃアームの反対側端部に取り付けられたＸ線検出器を有するＸ線撮像システムにおいて、Ｘ線検出器が検出器取付台と可動ステージとを有しており、可動ステージが検出器台内を移動するようにすることにより解決される。
【発明を実施するための最良の形態】
【０００８】
前置きとして述べると、以下に記載する実施形態は、ＣアームＸ線撮像システムを用いて拡張ボリュームを再構成するための方法、プロセス、装置、命令、又はシステムを含んでいる。Ｃアーム撮像システムにより２つの部分円形走査が実行される。Ｃアームは可動ステージを備えたＸ線検出器を有する。Ｘ線検出器の可動ステージは、オフセットされた検出器によって同じ角度位置で撮られた関連するＸ線投影を組み合わせることによりトランケーションを伴う投影を減少させる又は除去するために、部分円形走査間で再位置決めされる。拡張された画像再構成をさらに促進するために、Ｃアーム撮像システムを用いて校正法が実行される。
【０００９】
第１の側面において、Ｘ線撮像システムはＣアームの一方の端部に取り付けられたＸ線源とＣアームの反対側端部に取り付けられたＸ線検出器を有している。Ｘ線検出器は検出器取付台と検出器取付台内を移動する可動ステージを有している。
【００１０】
第２の側面において、Ｘ線検出器はＣアームに結合させることのできる検出器取付台を有している。Ｘ線検出器はまた、検出器取付台に沿って並進することのできる検出器取付台に結合された可動ステージも有している。
【００１１】
第３の側面において、撮像方法はＣアームＸ線撮像システムを使用する。この方法は、Ｘ線検出器の可動ステージを第１の位置に位置決めするステップ、第１の投影データ集合を得るために第１の部分円形走査を実行するステップ、Ｘ線検出器の可動ステージを第１の位置からオフセットした第２の位置へ再位置決めするステップ、及び第２の投影データ集合を得るために第２の部分円形走査を実行するステップを有している。
【００１２】
第４の側面は、ＣアームＸ線撮像システムを校正する方法である。この方法は、Ｘ線検出器の可動ステージをセンタリングするステップ、標準的なＣアーム校正手続きを実行するステップ、標準的なＣアーム校正手続き中に得られたデータから投影行列を形成するステップを有している。この方法はまた、Ｘ線検出器の可動ステージを第１の位置へオフセットするステップ、第１の変換オフセットパラメータ集合を形成するステップ、Ｘ線検出器の可動ステージを第２の異なる位置へオフセットするステップ、及び第２の変換オフセットパラメータ集合を形成するステップも有している。
【００１３】
第５の側面においては、コンピュータ上で実行可能な命令が格納されたコンピュータ可読媒体が説明される。これらの命令は、実際のＸ線検出器よりも大きなサイズを有する仮想Ｘ線検出器を形成するステップを含んでおり、実際のＸ線検出器はＣアーム撮像システムに結合されており、仮想Ｘ線検出器はＣアーム撮像システムにより再構成されたボリュームにおける投影トランケーション誤差の低減を促進する。
【００１４】
本発明は以下の請求項により規定される。この章のいずれの記載もこれらの請求項に対する限定として解されてはならない。本発明のさらなる側面及び利点は以下で有利な実施例との関連で論じられており、後で独立して又は従属して請求されるものも含まれている。
【実施例】
【００１５】
ＣアームＸ線撮像システムは２次元Ｘ線投影を取得し、患者に内在する関連する３次元ボリュームを再構成する。検出器が小さすぎて、検出器において患者のＸ線投影を完全に捕捉することができない場合には、再構成された画像はアーチファクトを被る。この場合、撮像システムは、トランケーション誤差を低減することのできるもっと大きなサイズの有効Ｘ線検出器を形成することによって、拡張画像を再構成する。Ｘ線検出器は可動ステージと検出器取付台を有している。可動ステージはＸ線検出器内を移動することができる。可動ステージを用いて第１の部分円形走査が第１の位置で行われる。続いて、可動ステージは、第２の部分円形走査が実行される前に、第２の位置へ再位置決めされる。異なる位置にある可動ステージを用いて２つ以上の部分円形走査を実行することにより、Ｘ線検出器の有効サイズを拡大することができる。というのも、同じ角度位置で撮られた関連するＸ線投影像を結合して、有効検出器視野を拡大することができるからである。オフセットされた検出器位置を考慮に入れるには、（標準的な３Ｄジオメトリ校正の他に）第２の校正手続きを実行しなければならない。
【００１６】
Ｃアーム撮像システムは、異なるオフセット位置へと横方向に移動することのできるＸ線検出器又はそのコンポーネントを有している。例えば、Ｘ線検出器又はそのコンポーネントは、同じ軌道に沿って連続して２つの部分円形走査を実行する際に、反対側にオフセットされた位置へ移動する。例えば、デジタルサブトラクション血管造影法（ＤＳＡ）のためのＸ線投影データを取得する場合がそれである。ＤＳＡのランを促進する現在のＣアーム血管造影システムによってサポートされているように、Ｃアームは画像取得の２つのランの各々において同じ走査軌道に沿って移動する。ＤＳＡ軌道は、アラインメントの不整に起因するサブトラクションアーチファクト又は付加的な構造的雑音を最小化するために、正確に同じ位置で撮像するように設計されている。
【００１７】
Ｃアーム撮像システムは、Ｘ線検出器と同期してＸ線検出器のオフセット位置へ移動する可調整のＸ線源コリメータを有する。コリメータは、オフセット検出器位置のもとではもはや見ることのできない身体領域への放射線被爆を低減させる。システムは、オフセット位置においてＸ線検出器もしくはそのコンポーネントによって撮られた別々の像の効率的な補間及び／又は結合により、コンポジット像を形成する。撮像システムは、公知のＦｅｌｄｋａｍｐアルゴリズム、又はコンポジット像に基づいて２次元又は３次元ボリュームを再構成する他の再構成アルゴリズムを使用してよい。
【００１８】
Ｉ．従来のＣアーム撮像システム
ＣアームＸ線撮像システムは公知である。Ｃアーム撮像システムは、患者に対して、実世界座標系のｘ、ｙ及び／又はｚ軸回りに回転する。例えば、図１は特許文献３に開示されているＣアーム撮像システムの例である。図１に示されたＣアーム撮像システムの例は、軸４回りに回転する（このような動きはアンギュレーションと呼ばれる）Ｃアーム３を備えた下部架台２から構成されており、下部架台２は車輪１で移動することができる。Ｃアーム３は軸５回りに双方向矢印６の方向へ回転する（このような動きは軌道回転と呼ばれる）。
【００１９】
互いにほぼ１８０°反対側に位置するＸ線源７と長方形の平形検出器のような検出器８が、Ｃアーム３の各端部の付近に固定されている。検出器は、（軸５と一致したアイソセンタを通って）Ｘ線源７へ向かう軸９の回りに回転可能、及び／又は、双方向矢印１２によって示されているように、検出器表面１１に平行に又Ｃアーム３の平面に対して垂直に移動可能であるように、取付装置１４によってＣアーム３に結合されている。
【００２０】
検出器８は、図１に示されている初期位置から弧状経路に沿って移動する。弧状経路は、カーブした矢印で示されているように、好ましくはＣアーム３の湾曲に沿って延びるか又は直角にＣアーム３と交叉する。Ｃアーム撮像システムは同じ動き又は異なる動きのためにさらなるコンポーネント、より少ないコンポーネント、又は代替的なコンポーネントを有していてよい。
【００２１】
線源の完全な軌道を得るために、択一的に、床又は天井に取り付けたＣアーム撮像システムを使用してもよい。天井に取り付けたＣアーム撮像システムは、Ｌアーム又は他の構造を介して天井に取り付けられる。Ｌアームは、患者に対して１つ又は複数の軸回りにＣアームを回転させるように、天井とＬアームとの間の連結部の回りを回転することができる。ＬアームとＣアームとの間の連結部は、図１に示されているアンギュレーションに類似した、患者に対して別の軸回りでの回転をＣアームに提供する。さらに、Ｃアームはスリーブを通るＣアームの軌道回転によって患者の回りを回転することができる。代替的なＣアーム撮像システムを使用してもよい。
【００２２】
例えば、図２は、Ｃアーム１１４を支持するガントリー１１２を備えたＣアームＸ線撮像システム１１０を示している。Ｃアーム１１４は一方の端部にＸ線源１１６を、他方の端部に検出器１１８を有している。Ｃアーム１１４は平面を画定する。Ｃアーム１１４はアンギュレーションの最中に前記平面に対して垂直な軸の回りを旋回する。Ｃアーム１１４はまたプロペラ軸（図２の４を参照）回りに、ならびに、垂直軸（図２の１０を参照）回りに回転する。Ｃアーム１１４はまたスリーブ（図２の６を参照）内で動くこともできる。部分円形走査の間、Ｃアーム１１４は複数の角度からの像を得るためにアンギュレーションを行う。検出器１１８は検出器１１８と線源１１６とにより定められる軸の回りを回転する。
【００２３】
ＩＩ．検出器座標系の例
Ｃアーム撮像システムはＸ線検出器をシフト及び回転させる機能を提供する。図３はこのようなシステムの撮像ジオメトリの例を示したものである。（ｕ，ｖ，ｗ）検出器座標系は（ｘ，ｙ，ｚ）世界座標系の回転軸（ｚ軸）回りに回転する。Ｘ線検出器又はそのコンポーネントは光軸（ｗ軸）回りにγだけ回転する。座標系は、ｚ軸とｗ軸の両方が光軸に沿って延びるように設定されている。しかし、ｚ軸とｗ軸は数学的な都合の良さに応じて平行又は逆平行のいずれかである。さらに、Ｘ線検出器又はそのコンポーネントは、光軸に対して垂直な平面内で横方向にも、すなわち、図示されたｕ方向にもシフトする。図示の例では、Ｘ線検出器はΔＬだけシフトする。１つの実施形態では、ＬはＸ線検出器又はそのコンポーネントに関連した長さ、例えば可動ステージの長さである。
【００２４】
さらに、γだけの回転は、光軸に対して垂直な平面内での任意の２次元的シフトを容易にする。例えば、図示されたｕ方向とは逆のシフトは、γ＝πと設定するとともに以前と同様の機械的シフトを実行することによって達成される。言い換えれば、Ｘ線検出器が回転することができるならば、機械的シフトは一方向だけでよい。
【００２５】
１つの実施形態では、反対側にオフセットされた位置へシフトしたＸ線検出器又はそのコンポーネントが（ＤＹＮＡＶＩＳＩＯＮランのような）２つの部分円形走査を実行することで、２次元的又は３次元的にＣアームを使用するための視野が拡大される。しかし、オフセットされた検出器位置は再現可能でなければならない。それゆえ、Ｘ線検出器は、例えばクランプ機構を使用することによって、校正位置に固定されなければならない。
【００２６】
２次元又は３次元再構成のための有効検出器幅Ｌｅｆｆを計算するために、ｕの正の方向における検出器シフトはここではΔＬで表されている。検出器シフトが左右に対称であると仮定すると、有効検出器幅は次のように定義される：
Ｌｅｆｆ＝Ｌ＋２・ΔＬ
像再構成後の走査視野（ＳＦＯＶ）の直径は次のように定義される：
【００２７】
【数１】
2006326319.tif 000003
【００２８】
走査視野は、少なくともほぼ１８０°にわたって見ることのできるすべてのピクセル／ボクセルを含んでいる。ＳＯＤなる用語はsource-origin distance（線源-原点距離）（焦点半径）の略であり、ＳＩＤなる用語はsource-detector (image) distance（線源-検出器距離）を表している。一般にＡＸ Ｃアーム撮像システムでは、ＳＯＤは７５０ｍｍであり、ＳＩＤは１１５０ｍｍ（又はそれ以上）である。これらの一般的な値を用いれば、発散ビームジオメトリは回転中心（アイソセンタ）における検出器幅をほぼ６５％まで低減させる。Ｘ線検出器のシフトΔＬはこの効果を補償するために使用される。１つの実施形態では、およそ４０ｃｍの長さを有するＸ線検出器に関して、いずれかの方向における約１１ｃｍのＸ線検出器シフトが、再構成されるボリュームの精度を高める。使用するサイズはこれとは別であってもよい。
【００２９】
中央にギャップができないように、Ｘ線検出器はほぼΔＬ＝Ｌ／２よりも短くシフトされる。つまり、有効検出器幅は非隣接データの補償なしでは元の検出器幅の高々２倍である。したがって、中央検出器領域における幾つかのオーバーラップはある状況においては望ましい。
【００３０】
ＣアームＸ線撮像システムによれば、対象物、すなわち、患者を静止させておくのが容易になる。患者を静止させてこくことは正確な医用撮像には不可欠である。Ｃアーム撮像システムは部分円形走査のみを使用する。その結果、３６０°のガントリー回転は不要となる。
【００３１】
撮像システムは、Ｘ線検出器をシフト及び傾斜させることにより、アーチファクトのない（検出器において不完全に捕捉された投影に起因するトランケーションアーチファクトのない）再構成ゾーンを拡大する。例えば、およそ４０ｃｍのＸ線検出器をいずれかの側におよそ１０ｃｍだけシフトさせることで、信頼性の高い３次元再構成のための有効Ｘ線検出器視野がおよそ５０％以上も増大する。およそ４０ｃｍのＸ線検出器と標準的なＣアーム投影ジオメトリを用いると、アイソセンタにおいて約４０ｃｍの直径を有する検出器視野が得られる。Ｘ線検出器がシフトされない場合には、直径は約２６ｃｍに限られる。Ｘ線検出器をγ＝πだけ回転させることが可能ならば、拡張ボリュームを再構成するためにはＸ線検出器を一方向にシフトさせるだけでよい。
【００３２】
撮像システムによって得られる外挿された投影に基づいた整合性のある像再構成のために、像の質量及び重心が推定される。像の質量と重心を正確に推定するためには、撮られたＸ線投影のうちの少なくとも幾つかにおいて対象物の完全な陰影を再捕捉しなければならない。これは、シフト可能な検出器を使用すれば、患者が静止している間に互いにオフセットされた複数の投影を撮ることによって容易に達成することができる。取得後、オフセットされた投影は結合され、より大きな検出器視野が得られる。Ｘ線検出器又はそのコンポーネントがオフセットされる場合でも、投影ジオメトリ及び／又は投影行列を求めるために標準的なＣアーム校正法が使用される。いったん投影行列が分かれば、合成によりコンポジット像が得られる。コンポジット像は、同一の又は同じような投影角度で撮られた反対側にオフセットされた対応する像を結合して、より大きな包括的投影にしたものである。有効幅Ｌｅｆｆは、Ｘ線検出器又はそのコンポーネントが反対側にどの程度オフセットされているかに依存する。１つの実施形態では、Ｘ線検出器又はそのコンポーネントは校正中にΔＬだけ反対側にオフセットされる。
【００３３】
Ｃアーム撮像システムは、中心像を撮り、それを左右いずれかに横シフトした位置で撮られた投影と結合することにより、Ｘ線透視立体写真を形成する。Ｘ線源は固定位置に留まるが、焦点はシフトさせなければならない。撮像システムは可動ステージの他にＣアーム可動線源も有している。
【００３４】
シフト可能な検出器を有するＣアーム撮像システムは、Ｃアーム観察位置を変える必要性が少なくなるので、標準的な検査を向上させる。例えば、カテーテルがＸ線検出器視野から出ようとするとき、Ｘ線検出器は、実質的にカテーテルを追って、もはやシフトすることができなくなるまで調整される。その時点で、患者は動かされなければならない。そのうえ、Ｘ線検出器をシフトさせることは、前に取得した検出器視野が失われたことを必ずしも意味しない。Ｃアーム観察方向が変化しない限り、新しい像と以前の像を結合して、より大きな「有効」検出器視野を得ることができる。
【００３５】
ＩＩＩ．Ｘ線検出器の実施例
ここでは、横方向の検出器シフトと回転を容易にするＸ線検出器の複数の実施例を提示する。さらなるコンポーネント、より少ないコンポーネント、又は代替的なコンポーネントを有するＸ線検出器の他の実施形態を使用することもできる。
【００３６】
撮像システムは、Ｘ線検出器又はそのコンポーネントを横方向にシフトする及び／又は回転させるために、１つ又は複数の動力付きアクチュエータ（モータ）を有している。標準的なステップモータを使用してもよい。例えば、横方向シフトはギアと（一般にギアラックと呼ばれる）歯車レールを用いて実現される。
【００３７】
撮像システムは、Ｘ線検出器又はそのコンポーネントをオフセット位置に固定するクランプ機構を有する。クランプ機構は、Ｃアーム投影ジオメトリが再現可能となるように、Ｘ線検出器又はそのコンポーネントを同じ位置に繰り返し固定するよう動作する。択一的に、撮像システムが、再現可能な結果を得るためにＸ線検出器又はそのコンポーネントをどの程度オフセットするか及び／又は回転させるかを正確に測定するセンサを有するようにしてもよい。代替的な方法を用いて、再現可能な結果を保証してもよい。
【００３８】
図４はＸ線検出器の対の例３００を示している。Ｘ線検出器３００は可動ステージ３２０、検出器取付台３２２、第１のスライダ３２４、及び第２のスライダ３２６を有している。Ｘ線検出器３００は、さらなるコンポーネント、より少ないコンポーネント、又は代替的なコンポーネントを有していてもよい。
【００３９】
図４の例は、Ｘ線検出器３００が自由両側オフセット検出器であることを示している。検出器取付台３２２は、可動ステージ３２０を保持し並進させる第１及び第２のスライダ３２４，３２６を有している。より少ないスライダ又はより多くのスライダを用いてもよい。第１及び第２のスライダ３２４，３２６はダブテール又は機械技術で周知の他の構造として構成されている。
【００４０】
可動ステージ３２０はＸ線源から放射されたＸ線を検出することができる。可動ステージ３２０は従来の検出器材料から製造されているが、シリコン、砒化ガリウム、テルル化カドミウム、及びテルル化カドミウム亜鉛は含んでいない。
【００４１】
より具体的には、図４の上の例は検出器取付台３２２とほぼ同じ幅を有する可動ステージ３２０を示している。この構成はＸ線検出器３００の横方向オフセットの全長に沿って可動ステージ３２０をガイドする。言い換えれば、可動ステージ３２０の正確な横方向運動はΔＬ＝Ｌ／２まで可能である。
【００４２】
図４の下の例は、より小さな可動ステージ３２０を有する実施形態を示している。Ｘ線検出器が検出器衝突センサを有している場合のような幾つかの状況では、より小さな可動ステージ３２０を有する実施形態はＸ線検出器の構造を簡素化する。
【００４３】
図５はＸ線検出器の別の例４００を示している。図示されているＸ線検出器４００は自由片側オフセット検出器である。図５の例では、Ｘ線検出器４００は光軸（ｗ軸）回りにγ＝πだけ回転することができ、回転すると実質的に両側オフセットが提供される。１つの実施形態では、Ｘ線検出器４００の可動ステージ４２０をほぼΔＬ＝Ｌ／２までシフトさせるには片側オフセットで十分である。さらに、自由（両側又は片側）オフセットを有する検出器構成は検出器の交換を容易にする。例えば、図４及び５に示されている検出器取付台は、複数の検出器を容易に切り替えることのできるＣアームシステムをサポートしている。
【００４４】
図６はＸ線検出器の対の別の例５００を示している。図６の上の例は、制限両側オフセットＸ線検出器であるＸ線検出器５００を示している。図６の下の例は、制限片側オフセットＸ線検出器であるＸ線検出器５００を示している。可動ステージ５２０は検出器取付台５２２によって保持されている。可動ステージ５２０は両側又は片側に動く。しかし、可動ステージ５２０の動きは１つ又は複数の端板、柱、又は検出器取付台５２２上の他の構造によって制限されている。
【００４５】
撮像システムがＸ線検出器５００をｗ軸回りにπだけ回転させることができる場合には、片側の動きでＸ線検出器５００を反対側にオフセットされた位置に置くことができる。検出器取付台５２２の端板のために、可動ステージ５２０のオフセット運動は図４及び５に示されている構成で可能となるオフセットに比べて制限されている。最大検出器オフセットは１つの例ではΔＬ＝Ｌ／４であり、これは正確な横方向検出器アラインメントを可能にする可動ステージの有効幅を提供する。別のオフセット限界を設定してもよい。
【００４６】
図４〜６の実施形態は片側ダブテールを備えた並進ステージを示している。幾つかの状況では、ダブテールは摩擦と静摩擦（始動摩擦）が比較的大きいために高精度撮像システムにとって問題を呈する。それゆえに、１つ又は複数の交差ころ軸受を備えたＸ線検出器が、タブテール継手に関連した問題を緩和する強化された解決手段を可能にする。
【００４７】
図７は検出器並進ステージの例６００を示している。図示されている検出器並進ステージ６００は交差ころ軸受６０２、クランプピン６０４、ケージ６０６、及び予圧６０８を有している。検出器並進ステージ６００は、さらなるコンポーネント、より少ないコンポーネント、又は代替的なコンポーネントを有していてよい。
【００４８】
交差ころ軸受６０２は、隣り合う交差ころ軸受６０２と接触するのを防ぐため、ケージ６０６によって互いに隔てられている。交差ころ軸受６０２は一般的な玉軸受よりも大きな耐力面を有しており、より大きな予圧に耐え、より大きな重量を運び、非常に厳密な規格を満たすことができる。
【００４９】
クランプ機構６０４は確実に検出器が再現可能に校正位置に固定されるようにする。例えば、クランプピン６０４の動きは可動ステージの横方向の動きを妨げる及び／又は許可する。クランプピン６０４は、再現可能な結果が得られるように撮像システムによって識別されうる特定の位置に可動ステージを保持する。
【００５０】
代替的なやり方で再現可能な結果を得てもよい。例えば、撮像システムは、クランプ装置が不要となるようにＸ線検出器又はそのコンポーネントの正確な位置決め及び／又は追跡を容易にするセンサや他のコンポーネントを有していてよい。このような状況では、Ｘ線検出器又はそのコンポーネントは、Ｃアームが像取得軌道に沿って動いている間に再位置決めすることができる。さらに、２次元Ｘ線透視投影の場合には、Ｘ線検出器又はそのコンポーネントは光軸に対して垂直な面内を自由に動く（並進及び回転する）ことができる。このことがＸ線検出器又はそのコンポーネントを再位置決めする際に介入放射線医により大きな融通性を提供する。
【００５１】
ＩＶ．方法及びシステムの例
図８は、投影トランケーション誤差を低減する方法７００の一例のフローチャートを示している。方法７００はＸ線検出器又はそのコンポーネントを第１の位置に位置決めするステップ７０２、第１の部分円形走査を実行するステップ７０４、Ｘ線検出器又はそのコンポーネントを横方向にオフセットされた第２の位置に再位置決めするステップ７０６、第２の部分円形走査を実行するステップ７０８、コンポジット像を形成するステップ７１０、及びボリュームを再構成するステップ７１２を有している。方法はさらなる動作、より少ない動作、又は代替的な動作を有していてよい。
【００５２】
方法７００はＸ線検出器又はその可動コンポーネントを第１の位置に位置決めするステップ７０２を有している。１つの実施形態では、図４〜６のｗ軸（Ｘ線検出器の中心）から横方向にオフセットΔＬだけ可動ステージを動かすことにより、可動ステージが第１の位置に位置決めされる。択一的に、第１の位置がＸ線検出器の中心であってもよい。また別の第１の位置を用いてもよい。
【００５３】
投影トランケーション誤差を低減する方法７００はデータ処理システムを使用する。図９は、Ｃアーム撮像システムの一部となるように構成された又は適応させたデータプロセッサの例８１０を示している。データプロセッサ８１０は中央処理ユニット（ＣＰＵ）８２０、メモリ８３２、ストレージ装置８３６、データ入力装置８３８、及びディスプレイ８４０を有している。プロセッサ８１０はまた外部出力装置８４２も有している。外部出力装置８４２はディスプレイ、モニタ、プリンタ、又は通信ポートであってよい。プロセッサはさらなるコンポーネント、より少ないコンポーネント、又は代替的なコンポーネントを有していてもよい。
【００５４】
プロセッサ８１０はパーソナルコンピュータ、ワークステーション、ＰＡＣＳ（pictorial archival communication system）システム、Ｃアーム撮像システム、Ｘ線システム、又は他の医用撮像システムであってよい。プロセッサ８１０は、イントラネット、インターネット、又はインターネットに接続されたイントラネットのようなネットワーク８４４に相互接続されている。プロセッサ８１０は説明の目的で設けられているものであり、本システムの範囲を限定するものではない。
【００５５】
プログラム８３４はメモリ８３２上にあり、実行可能コードの又はＣＰＵ８２０により実行されるコード化された命令の１つ又は複数のシーケンスを含んでいる。プログラム８３４はストレージ装置８３６からメモリ８３２にロードされるようにしてよい。ＣＰＵ８２０はデータを処理するためにプログラム８３４の命令の１つ又は複数のシーケンスを実行する。データ及び／又は命令はデータ入力装置８３８によってプロセッサ８１０に入力される、及び／又は、ネットワーク８４４から受信される。プログラム８３４はデータ入力のためにデータ入力装置８３８及び／又はネットワーク８４４をインタフェースする。プロセッサ８１０により処理されたデータは、ディスプレイ８４０、外部出力装置８４２、ネットワーク８４４への出力として供給される、及び／又はデータベースに格納される。プログラム８３４及び他のデータは機械可読媒体に格納される又は機械可読媒体から読み出される。ここで、機械可読媒体としては、ＲＡＭ、キャッシュ、又は、ハードディスク、フロッピーディスク、ＣＤ−ＲＯＭ、及びＤＶＤのような二次ストレージ装置、電磁信号、又は、現在公知のもしくは後に開発される代替的な形式の機械可読媒体が含まれる。
【００５６】
プロセッサ８１０は多重部分円形走査を実行するように撮像システムに指令する。プロセッサ８１０は、撮像システムに関係した複数の動作を実行するソフトウェアアプリケーション又はプログラム８３４を実行する。プロセッサ８１０は機械可読媒体に格納された又は機械可読媒体から読み出されたデータにアクセスする。ここで、機械可読媒体としては、ＲＡＭ、キャッシュ、又は、ハードディスク、フロッピーディスク、ＣＤ−ＲＯＭ、及びＤＶＤのような二次ストレージ装置、電磁信号を含む機械可読媒体、又は現在公知のもしくは後に開発される代替的な形式の機械可読媒体が含まれる。
【００５７】
プロセッサ８１０は例えば、Ｘ線検出器又はそのコンポーネントの第１の位置への運動を指令するなどのように、患者に対して撮像システムを第１の位置に移動させる。ＣＰＵ８２０は実世界座標系内での撮像システムの可動コンポーネントの位置を計算する。例えば、ＣＰＵ８２０は実世界座標系内で患者に対するＸ線検出器又は稼働ステージの位置を計算する。その結果として、プロセッサ８１０はＸ線検出器、可動ステージ、又は撮像システムの他のコンポーネントを第１の位置に移動させる。
【００５８】
Ｘ線検出器又はそのコンポーネントが第１の位置に移動７０２した後に、方法は第１の走査を実行するステップ７０４を有している。プロセッサ８１０は、例えば第１の部分円形走査である第１の走査を実行するように撮像システムに指令する。得られた第１の線源軌道の投影はデータ入力装置８３８、ネットワーク８４４、又は他の入力装置によって受信される、及び／又は、メモリ８３２、ストレージ８３６、又は他のストレージユニットに格納される。１つの実施形態では、第１の部分円形走査７０４は第１の位置において可動ステージを用いて実行される。
【００５９】
方法７００はＸ線検出器又はそのコンポーネントを再位置決めするステップ７０６を有している。プロセッサ８１０はＸ線検出器又はそのコンポーネントを患者に対して再位置決めする。ＣＰＵ８２０はＸ線検出器又は可動ステージのようなコンポーネントの相対的な再位置決めをモニタする。患者に対するＸ線検出器又はそのコンポーネントの動きをモニタすることにより、プロセッサ８１０は、所定の量だけ、例えばほぼＸ線検出器又はそのコンポーネントの長さＬだけ、Ｘ線検出器又はそのコンポーネントを正しく再位置決めする。
【００６０】
１つの実施形態では、可動ステージが再位置決めされる。別の実施形態では、可動ステージは、横方向に負のΔＬ、負のΔＬ／２、又はｗ軸からのそれ以外の距離だけオフセットした第２の位置へシフトされる。例えば、第２の位置はｗ軸からＸ線検出器の長さの分だけ横方向にオフセットされている。
【００６１】
Ｘ線検出器又はそのコンポーネントを再位置決めした後に、方法７００は第２の走査を実行するステップ７０８を有している。プロセッサ８１０は、例えば部分円形走査である第２の走査を実行するように撮像システムに指令する。得られた第２の線源軌道の投影はデータ入力装置８３８、ネットワーク８４４、又は他の入力装置によって受信される、及び／又は、メモリ８３２、ストレージ８３６、又は他のストレージ装置に格納される。
【００６２】
方法７００はコンポジット像を形成するステップ７１０を有している。コンポジット像は第１及び第２の部分円形走査の両方から得られたデータと像を統合することにより形成される。データプロセッサ８１０は、第１及び第２の部分円形走査に関連したデータの内挿と合成によりコンポジット像を形成する。いずれかの走査又は両方の走査の間に横方向にオフセットされた実際のＸ線検出器の中心ステージによる部分円形走査を介して得られたデータの内挿の結果、実際のＸ線検出器よりも大きなサイズ又は長さの有効又は仮想Ｘ線検出器が形成される。
【００６３】
方法はさらに、再構成アルゴリズムを使用して、２次元又は３次元ボリュームを再構成するステップ７１２を有している。例えば、プロセッサ８１０は複合Ｘ線投影を使用し、メモリ８３２、ストレージ８３６、もしくは他のストレージ装置に格納された又はネットワーク８３６を介してアクセス可能な再構成アルゴリズムを用いて患者内のボリュームを再構成する。再構成されたボリュームはディスレプイ８４０、出力装置８４２、もしくは他の出力装置に表示される、及び／又は、メモリ８３２、ストレージ８３６、もしくは他のストレージ装置に格納される。
【００６４】
上に示した投影トランケーション誤差を低減する方法は２つ以上の（投影）データ集合を形成する。データ集合はそれぞれ同じＸ線の円錐線源を有する別の走査から所定の検出器変位だけ変位した部分円形走査に関連している。実際のＸ線検出器又はそのコンポーネントよりも大きなサイズ及び／又は長さを有し、トランケーションを伴う投影を除去することのできる有効又は仮想検出器による像を形成するために、データ集合はデータプロセッサ８１０により操作される。
【００６５】
Ｖ．校正
上記方法の有効性を高めるため、校正手続きにより投影ジオメトリが決定される。この目的のために、校正ファントムがＣアームのアイソセンタに置かれる。Ｃアームのアイソセンタは、すべての像にとって校正ファントムが完全に見える位置である。
【００６６】
横方向検出器シフトの正確度と量によっては、標準的なＣアームジオメトリ校正手続きは正確な結果を得るのに尚も十分である。特に、コンポジット像が関連するオフセット投影を単純に継ぎ合わせることによって形成される場合には、標準的なＣアームジオメトリ校正手続きで十分である。例えば、検出器オフセットが小さい場合、例えば、可動ステージが約４０ｃｍであるときにΔＬ＝１０ｃｍである場合には、標準的な校正手続きで十分である。中程度の検出器シフトに関しては、穏当な結果を得るために標準的な校正手続きが２回行われる。具体的には、標準的な校正手続きは可動ステージ又はＸ線検出器の他の可動コンポーネントの各位置についてそれぞれ１回実行される。しかしながら、検出器オフセットが比較的に大きい場合には、各像は校正ファントムの投影をもはや完全には捕捉しない。そこで、以下にあらましを述べる代替案が必要となる。
【００６７】
図１０は、校正方法９００の一例のフローチャートを示している。校正方法９００は、Ｘ線検出器又は可動ステージのようなコンポーネントをセンタリングするステップ９０２と、センタリングされた検出器又はそのコンポーネントを用いて標準的な校正を実行するステップ９０４を有している。標準的な校正手続きは投影行列の集合を形成する部分円形走査を含んでいる。基礎をなす投影ジオメトリを記述する像の各々に対して１つの投影行列が存在する。方法はまた、Ｘ線検出器又はその可動コンポーネントを第１のオフセット位置に位置決めするステップ９０６、オフセットパラメータの第１の集合を推定するステップ９０８、Ｘ線検出器又はその可動コンポーネントを第２のオフセット位置に再位置決めするステップ９１０、及びオフセットパラメータの第２の集合を推定するステップ９１２を有している。オフセットパラメータは、ワーピング技術を用いて関連するオフセット像からコンポジットＸ線像を形成するために使用される。コンポジット像と関連する投影行列は最終的に３Ｄ再構成のための再構成アルゴリズムに供給される。方法はさらなる動作、より少ない動作、又は代替的な動作を有していてよい。
【００６８】
上で詳述した校正方法は、センタリングされた位置にあるＸ線検出器又はそのコンポーネントに関連した投影行列の集合、ならびに、第１及び第２のオフセット位置にそれぞれ対応する第１及び第２のオフセットパラメータを形成する。校正方法はまた実際の部分円形走査の各々について最終投影行列の集合を形成するステップも有している。
【００６９】
最終投影行列はオフラインで形成される。択一的に、センタリングされた投影行列をオフセットパラメータとともに格納し、相応しい最終投影行列はオンラインで及び／又は走査中にリアルタイムで決定するようにしてもよい。最終投影行列のリアルタイム決定は、センタリングされた投影行列を調整する複数の異なるオフセットパラメータに依拠している。例えば、器官が異なれば、器官のサイズに起因するトランケーション誤差を避けるために異なる検出器オフセットが必要となる。したがって、個々の器官について、固有のオフセットがメモリ内に格納され、使用できるようになっている。より具体的には、ＤＹＮＡＶＩＳＩＯＮ像取得走査又は横方向にオフセットされた検出器位置を必要とする他の走査を実行するために、異なるシステム設定、例えば、「器官プログラム」が使用される。そうでなければ、像再構成アルゴリズムは、どの検出器オフセット位置（従って、投影行列）が入力像に対応しているかを決定することができない。
【００７０】
１つの実施形態では、上記の投影行列の集合とオフセット（変換）パラメータは以下に示すように関係している。Ｎ番目の像の投影ジオメトリは投影行列Ｐｎによって記述される。Ｎ個の観察位置（投影角）が存在している。ある投影がＰｎのもとで撮られたということは、この投影がｎ番目の位置にある線源で撮られたことを示している。
【００７１】
非常に厳密な機械的シフトはシフトをほぼ平面的なシフトに限定し、クランプはＣアームの回転中にＸ線検出器又はその可動コンポーネントを保持する。シフトパラメータは、像取得軌道に沿った１つの特定のＣアーム視角、例えば、前後位置で推定される。Ｘ線検出器又はその可動コンポーネントを精密にオフセット位置に保持することができない場合には、Ｎ個の全観察位置に関するシフト／変換パラメータを決定しなければならない。
【００７２】
安定したクランプ機構を仮定すれば、ここでは、選択した像ジオメトリのデフォルト投影行列はＰ０として識別される。（右へ向かって）ｉ番目のシフト位置にあるＸ線検出器又はその可動コンポーネントに対応する投影行列はＰ０（ｉ）で表される。投影行列は、変換行列Ｔｉを適切に選んでＰ０（ｉ）＝Ｔｉ・ＰｎとすることでＰ０（ｉ）から計算される。Ｔｉの考えられる１つの選択肢は以下のように定義されるユークリッド相似変換（ユークリッドワープ）である：
【００７３】
【数２】
2006326319.tif 000004
上記の変換は、スケールのためのオフセットパラメータｓｉ、回転のためのオフセットパラメータαｉ、水平並進のためのオフセットパラメータｔｕ（ｉ）、及び垂直並進のためのオフセットパラメータｔｖ（ｉ）の４つのオフセットパラメータを伴っている。Ｔｉに関連してはいるが、検出器が（左へ向かう）反対側の横方向の位置へシフトした変換行列は、Ｔ−ｉと呼ばれる。
【００７４】
４つのオフセットパラメータを推定するには、それぞれＰ０とＰ０（ｉ）のもとで投影が撮られるときに可視のままに留まる少なくとも２つの点が必要である。一旦シフトパラメータが推定されると、ある特定のシフトが像取得のランの間安定していると仮定すれば、他のＮ−１の観察方向に関して、投影行列はＰｎ（ｉ）＝Ｔｉ・Ｐｎに従って得られる。
【００７５】
シフトパラメータの推定を容易にする簡単な校正ファントムは、２つの異なるサイズの埋め込みビーズからなるルーサイト板である。ビーズはバイナリコードワードを形成するために使用される。ビーズのサイズは、発散ビーム投影ジオメトリによる拡大にかかわらず大きな方のビーズが小さな方のビーズよりも著しく大きくなるように選ばれる。２つの著しく異なるサイズのビーズが一旦与えられれば、バイナリコードワードを表現するためにこれらのビーズを使用することができる（例えば、小さなビーズが“０”で、大きなビーズが“１”）。
【００７６】
図１１は校正に関係したデータの像の一例を示したものである。３ビットの線形コードと、ハミング距離で２を有する１つのパリティビットが使用される。この例では、隣接する列は異なるサイズを有する互いに隣り合う２つのビーズをつねに有している。さらに、各行は固有のパターンを持っている。このようなビーズの分布は、それぞれＰ０とＰ０（ｉ）の両方で見られる（少なくとも）４つのビーズ（隣接列の各対に２つ）を単純に選ぶ。変換オフセットパラメータのより信頼性の高い推定のためには、２つより多くのビーズが使用される。異なった「コード」デザインの校正板を使用してもよい。
【００７７】
２つの部分円形走査が行われた後、投影の２つの集合が合併され、コンポジット投影が形成される。Ｐｎ（ｉ）＝Ｔｉ・ＰｎとＰｎ（−ｉ）＝Ｔ−ｉ・Ｐｎのもとで撮られた反対側にオフセットされた投影を結合するために、Ｐｎに関連した新たな拡大ピクセルグリッドが定義される。
【００７８】
コンポジット投影を計算するために、新たなグリッド位置が以前のグリッド位置にマッピングされる。左にシフトした検出器の上の以前のピクセルグリッド位置は、事前に拡大グリッド座標にＴ−ｉ−１を乗じることにより見つけ出される。右にシフトした検出器の上の以前のピクセルグリッド位置は、事前に拡大グリッド座標にＴｉ−１を乗じることにより見つけ出される。反対側にシフトされた検出器が中央領域を共有している場合には、両方の投影における対応するグレーレベルが決定され、平均される。結果として、雑音は低減される、すなわち、方法及びシステムは、重なり合った検出器領域は２回照射されるということを利用している。明らかに、Ｘ線照射線量の観点からは、オーバーラップ領域を小さく保つことが好ましい。
【００７９】
ラスタ像の離散的性質のゆえに、拡大グリッド内の各ピクセル位置はオフセットされたグリッド上の別の（離散的な）ピクセル位置に直にはマッピングされない。したがって、拡大ピクセルグリッド内に結果として得られるグレーレベルは、以前のピクセルグリッドの隣接サンプルの間の双線形補間により決定される。コンポジット像が形成された後には、走査されたボリュームの像を形成するために、標準的な２次元又は３次元再構成技術が適用される。
【００８０】
以上に本発明を様々な実施形態を参照することにより説明してきたが、本発明の範囲から逸脱することなく多くの変更及び改善を為しうることは理解されなければならない。説明と図示は例示目的のためだけのものである。より多くの実施形態は本発明の範囲を逸脱することなく可能であり、また当業者には明らかである。様々な実施形態は記載された環境に限定されるものではなく、幅広い適用範囲を有している。
【００８１】
添付した請求項は、本発明の真の趣旨及び範囲に入るこのような変更及び改善のすべてを包含することを意図している。したがって、本発明は特定の詳細、代表的な実施形態、本明細書で示された実施例に限定されない。よって、本発明は添付された請求項及びそれの等価物により必要とされる見地において以外には限定されない。
【図面の簡単な説明】
【００８２】
【図１】ＣアームＸ線撮像システムの例を示す。
【図２】ＣアームＸ線撮像システムの別の例を示す。
【図３】撮像座標系の例を示す。
【図４】可動ステージを有するＸ線検出器の対の例を示す。
【図５】Ｘ線検出器の別の例を示す。
【図６】Ｘ線検出器の対の別の例を示す。
【図７】検出器並進ステージの例を示す。
【図８】投影トランケーション誤差を低減する方法の一例のフローチャートを示す。
【図９】データ処理システムの例を示す。
【図１０】校正方法の一例のフローチャートを示す。
【図１１】校正に関連したデータの表示の一例を示す。
【図１】
2006326319.tif 000005
【図２】
2006326319.tif 000006
【図３】
2006326319.tif 000007
【図４】
2006326319.tif 000008
【図５】
2006326319.tif 000009
【図６】
2006326319.tif 000010
【図７】
2006326319.tif 000011
【図８】
2006326319.tif 000012
【図９】
2006326319.tif 000013
【図１０】
2006326319.tif 000014
【図１１】
2006326319.tif 000015